(57)【特許請求の範囲】
【請求項１】
バーナおよび熱交換器を有する給湯器と、該給湯器を電気配線コードを介して遠隔操作するリモコンとを有する給湯器システムにおいて、
テレビ受信用のアンテナと警備のための監視用として設置されたカメラの録画再生装置とがミキサーを介して前記リモコンに設けられたテレビ・カメラ接続用の単一の接続端子に接続され、
前記リモコンには、テレビ受信機と兼用される監視用画像の表示部が設けられるとともに、テレビ画像と監視用画像とを切り換える切り換えスイッチとが設けられる
ことを特徴とする給湯器システム。
【請求項２】
前記監視用のカメラが複数台設けられ、各カメラが画像の切り換え部を介して前記録画再生装置に接続されることを特徴とする請求項１に記載の給湯器システム。
【発明の詳細な説明】
【０００１】
【発明の属する技術分野】
本発明はガス、オイル又は電気を熱源とし、遠隔位置から給湯等の操作を行う給湯器、風呂加熱機能付き給湯器、温水暖房機能付給湯器などの給湯器システムに関し、より詳細には、監視用のカメラを有するものに関するものである。
【０００２】
【従来の技術】
従来、監視装置としてはＣＣＤカメラ等を用いて遠隔位置からモニター画面を監視することにより行われているが、一般家庭までには普及していない。一方、近年給湯器を遠隔操作するリモコン部にテレビ受信機を内蔵したものが知られている。
【０００３】
【発明が解決しようとする課題】
しかしながら、監視装置のモニターを台所に設置するにはケーブル線を台所へ配線しなければならず、接続作業が煩雑となるのみならず、台所の壁面に給湯器のリモコンと監視装置のモニター画面が併存することとなって、壁面の美観を損なうという問題があった。
【０００４】
本発明は上記問題に鑑み、電気配線の省施工化を図ると共に意匠性の高い給湯器システムを提供することを課題とする。
【０００５】
【課題を解決するための手段】
上記課題を解決するために、本発明の給湯器システムは、バーナおよび熱交換器を有する給湯器と、該給湯器を電気配線コードを介して遠隔操作するリモコンとを有する給湯器システムにおいて、テレビ受信用のアンテナと警備のための監視用として設置されたカメラの録画再生装置とがミキサーを介して前記リモコンに設けられたテレビ・カメラ接続用の単一の接続端子に接続され、前記リモコンには、テレビ受信機と兼用される監視用画像の表示部が設けられるとともに、テレビ画像と監視用画像とを切り換える切り換えスイッチとが設けられることを第１の特徴としている。
また本発明の給湯器システムは、前記監視用のカメラが複数台設けられ、各カメラが画像の切り換え部を介して前記録画再生装置に接続されることを第２の特徴としている。
【０００６】
上記第１の特徴によれば、台所リモコンのテレビの他に別途監視用のモニター画面を設ける必要がなくなり、電気配線工事の省施工化を図ることができるのみならず台所壁面の美観性を高めることができる。
上記第２の特徴によれば、上記特徴に加えて警備範囲の拡大化を図ることができる。
【０００７】
【発明の実施の形態】
以下、本発明の実施の形態を図面を参照しながら説明する。図１は本発明の一実施形態を示す監視カメラ付給湯装置の全体構成図である。
【０００８】
図１において、１０は内部にガス、石油等を燃料とするバーナ、熱交換器、送風ファン等を有する給湯器、２０は屋内である台所（台所の近傍を含む）等に設置し給湯器の湯温等を遠隔操作するリモコンである。このリモコンは風呂場に設置し給湯器の湯温、浴槽の水位等を遠隔操作する風呂リモコンとしても良い。３０はテレビ受信用のアンテナ、３１はアンテナからリモコン２０に接続するテレビ受信ケーブル線である。
【０００９】
前記リモコン２０は、電気配線コード４１により給湯器１０に接続され、給湯器１０からリモコンに電源が供給されており、給湯器１０を制御するようになっている。５０は外来者を撮影用の例えばＣＣＤ等のカメラである。このカメラは敷地内の複数個所に警備のための監視用として設置固定してある。
【００１０】
また、２１はリモコン２０に設けられ給湯器１０を制御するための給湯用操作部であって、電源の入切スイッチ、給湯温度の調節用のスイッチ、自動給湯用のスイッチ等からなる。リモコン２０には、給湯用操作部２１の他にカメラ５０によって撮影された監視用の画像を表示する表示部２２を有している。この表示部２２はテレビ受信機と兼用してあり、テレビ画像は前記表示部２２で表示される。また、２３はテレビ画像とカメラ５０による監視画像とを切り換える切り換えスイッチである。
【００１１】
また、給湯器１０には家庭用１００ボルトである外部電源導入用のプラグ等の電源端子１２を有している。リモコン２０に設けたテレビへの電源は前記電気配線コード４１を介して給湯器１０のみから導入している。上記給湯器とリモコン間、リモコンとカメラ間の伝送は低電圧直流の二芯電力線に給湯情報、画像情報のデジタル信号を時分割して搬送している。４０はミキサー、４２はテレビ・カメラ接続用の単一の接続端子、４３はＶＴＲ・ＤＶＤ等の録画再生装置である。４４は複数の監視用のカメラ画像を切り換える切り換え部である。４５は切り換え部４４のビデオ出力端子とＶＴＲ４３のビデオ入力端子とを接続する接続用配線、４６はＶＴＲ４３のＲＦ出力端子とミキサー４０とを接続する接続用配線である。
【００１２】
本発明はこのような構成からなり、風呂を自動で沸かすには、台所等のリモコン２０の給湯用操作部２１で電源スイッチを入れるとともに、風呂温度設定スイッチ、湯量設定スイッチ等で予め任意の温度、湯量に設定した後、自動スイッチを押せば良く、これにより、図示しない電磁弁が開いて水が流れ、給湯器１０が動作してバーナが着火し、適温の湯が風呂給湯される。給湯温度は表示部２２で温度表示するようにしてもよい。
【００１３】
次に、台所においてテレビを設置する場合には、給湯器１０を屋外に設置した後、リモコン２０を給湯器１０と電気配線コード４１を介して接続し台所壁面に固定すると共にアンテナ３０とリモコン２０とをテレビ受信ケーブル３１によりミキサー４０、接続端子４２を介して接続する。接続後は給湯器に導入された電源により電気配線コード４１を介して台所リモコン内のテレビ受信機に電気が供給され、台所においてテレビを観賞することができる。風呂場においても同様にリモコンに電気配線コードを介して給湯器１０に接続し、かつテレビ受信ケーブルを介してアンテナ３０に接続すればよい。これら電気配線コードは電源の供給と、給湯器を遠隔制御するための給湯情報の伝送とを兼用させるために、二芯線の低電圧重畳方式としかつデジタル伝送方式としてある。テレビの電源には給湯器１０に供給されている電源を用いているため、別途にテレビ用の専用の電源をリモコン部に導入する必要はなくなる。この結果、台所及び風呂リモコンの電気配線工事を省施工することができる。
【００１４】
次に、監視カメラを使用するには、監視カメラ５０を門柱等に設置し固定した後、各監視カメラの出力端子と切り換え部４４の入力端子とを電気コードにより接続する。その後、切り換え部４４のビデオ出力とＶＴＲ４３のビデオ入力端子とを接続用配線４５を介して接続すると共にＶＴＲ４３のＲＦ出力端子とミキサー４０の入力端子とを接続用配線４６を介して接続すればよい。接続の完了により、カメラ５０で撮影した画像はリモコン２０の表示部２２にて表示されると共に風呂のリモコンの表示部においても表示される。テレビとの切り換えは切り換えスイッチ２３により行えばよい。この結果、別途監視カメラ用のモニター画面を設ける必要がなくなり、電気配線の省施工化が図れると共に設置場所の壁面の美観を悪くすることがなくなった。
【００１５】
【発明の効果】
本発明は以上の構成、作用からなり、請求項１に記載の給湯器システムによれば、バーナおよび熱交換器を有する給湯器と、該給湯器を電気配線コードを介して遠隔操作するリモコンとを有する給湯器システムにおいて、テレビ受信用のアンテナと警備のための監視用として設置されたカメラの録画再生装置とがミキサーを介して前記リモコンに設けられたテレビ・カメラ接続用の単一の接続端子に接続され、前記リモコンには、テレビ受信機と兼用される監視用画像の表示部が設けられるとともに、テレビ画像と監視用画像とを切り換える切り換えスイッチとが設けられるので、台所等のリモコンのテレビの他に別途監視用のモニター画面を設ける必要がなくなり、電気配線工事の省施工化を図ることができるのみならず台所壁面の美観性を高めることができる。
また、請求項２に記載の給湯器システムによれば請求項１に記載のものに監視用のカメラが複数台設けられ、各カメラが画像の切り換え部を介して前記録画再生装置に接続されるので、監視範囲を広げて、警備範囲の拡大化を図ることができる。
【図面の簡単な説明】
【図１】本発明を適用した監視カメラ付給湯装置の全体構成図である。
【符号の説明】
１０      給湯器
２０      リモコン
２２      表示部
３０      テレビアンテナ
４０ ミキサー
４２ テレビ・カメラ接続用の接続端子
５０ 監視用のカメラ
【図１】
0003991507.tif 000002